(57)【要約】【課題】回路結構が簡単で、生産コストが低いランプ駆動システムを提供する。【解決手段】本発明に係るランプ駆動システムは、入力された交流信号を拡大するための変圧器回路と、濾過／電流平衡回路と、ランプ群と、を含み、前記変圧器は第一交流信号を出力するための第一出力端子、及び該第一交流信号の電位と相反する第二交流信号を出力するための第二出力端子を含み、前記濾過／電流平衡回路は、複数の濾過／電流平衡回路ユニットを含み、該複数の濾過／電流平衡回路ユニットは、それぞれ前記第一出力端子と接続され、信号のひずみを小さくするように前記第一交流信号を制御し、且つ電流値が略等しい第三交流信号を出力し、前記ランプ群は、複数のランプを含み、該各ランプは一端が前記複数の濾過／電流平衡回路ユニットの内の別々の一つと接続され、且つ前記第三交流信号で駆動される。【選択図】図６
2007066889.tif 000002
【特許請求の範囲】
【請求項１】
ランプ駆動システムであって、
入力された交流信号を拡大するための変圧器回路と、濾過／電流平衡回路と、ランプ群と、を含み、
前記変圧器は、第一交流信号を出力するための第一出力端子、及び該第一交流信号の電位と相反する第二交流信号を出力するための第二出力端子を含み、
前記濾過／電流平衡回路は、複数の濾過／電流平衡回路ユニットを含み、該複数の濾過／電流平衡回路ユニットは、それぞれ前記第一出力端子と接続され、信号のひずみを小さくするように前記第一交流信号を制御し、且つ電流値が略等しい第三交流信号を出力し、
前記ランプ群は、複数のランプを含み、該各ランプは一端が前記複数の濾過／電流平衡回路ユニットの内の別々の一つと接続され、且つ前記第三交流信号で駆動されることを特徴とするランプ駆動システム。
【請求項２】
前記複数の濾過／電流平衡回路ユニットのぞれぞれは、前記第一出力端子と前記ランプ群の一つのランプとの間に接続されたインダクタンス、及び一端が該インダクタンスと該ランプとの間に接続され、他端が接地されるコンデンサーを含むことを特徴とする請求項１に記載のランプ駆動システム。
【請求項３】
前記複数の濾過／電流平衡回路ユニットのそれぞれのインダクタンスの電気抵抗値は略等しく、前記各コンデンサーの電気抵抗値は略等しく、前記各ランプを通過する電流値は略等しいことを特徴とする請求項１に記載のランプ駆動システム。
【請求項４】
前記変圧器回路の第二出力端子は接地されることを特徴とする請求項１に記載のランプ駆動システム。
【請求項５】
前記濾過／電流平衡回路は複数の濾過／電流平衡回路ユニットを更に含み、該複数の濾過／電流平衡回路ユニットは、それぞれ前記第二出力端子と接続され、信号のひずみを小さくするように前記第二交流信号を制御し、且つ電流値が略等しい第四交流信号を出力することを特徴とする請求項１に記載のランプ駆動システム。
【請求項６】
前記第三交流信号と前記第四交流信号の電流値が略等しく、電位が相反することを特徴とする請求項５に記載のランプ駆動システム。
【請求項７】
前記ランプ群は、複数のランプを更に含み、該各ランプは一端が前記変圧器回路の第二出力端と連接された前記複数の前記濾過／電流平衡回路ユニットの内の別々の一つと接続され、且つ前記第四交流信号で駆動されることを特徴とする請求項５に記載のランプ駆動システム。
【請求項８】
前記ランプ群の各ランプの他端は、前記変圧器回路の第二出力端と接続された前記複数の前記濾過／電流平衡回路ユニットの内の別々の一つと接続され、且つ同時に前記第三交流信号及び前記第四交流信号で駆動されることを特徴とする請求項５に記載のランプ駆動システム。
【請求項９】
ランプ駆動システムであって、
入力された交流信号を拡大するための変圧器回路と、濾過／電流平衡回路と、ランプ群と、を含み、
前記変圧器は第一交流信号を出力するための第一出力端子、及び該第一交流信号の電位と相反する第二交流信号を出力するための第二出力端子を含み、
前記濾過／電流平衡回路は、別々に、前記第一出力端子及び前記第二出力端子と接続される複数の濾過／電流平衡回路ユニットを含み、該複数の濾過／電流平衡回路ユニットは、第三出力端子及び前記第四出力端子を含み、信号のひずみを小さくするように第三交流信号及び前記第四交流信号を制御し、前記第三出力端子から電流値が略等しい第三交流信号を出力し、前記第四出力端子から電流値が略等しい第四交流信号を出力し、且つ該第三交流信号と第四交流信号の電流値が略等しく、電位が相反し、
前記ランプ群は複数のランプを含み、該各ランプは一端が前記複数の濾過／電流平衡回路ユニットの内の別々の一つの第三出力端子と接続され、且つ前記第三交流信号で駆動されることを特徴とするランプ駆動システム。
【請求項１０】
前記各濾過／電流平衡回路ユニットは、全て、
一端が前記変圧器回路の第一出力端子と接続され、他端が第三出力端子と定義される第一インダクタンスと、
一端が前記変圧器回路の第二出力端子と接続され、他端が第四出力端子と定義される第二インダクタンスと、
該第三出力端子と該第四出力端子との間に接続されたコンデンサーと、
を含むことを特徴とする請求項９に記載のランプ駆動システム。
【請求項１１】
前記複数の濾過／電流平衡回路ユニットのぞれぞれについて、各第一インダクタンス及び各第二インダクタンスの電気抵抗値は略等しく、前記各コンデンサーの電気抵抗値は略等しく、前記第三交流信号と前記第四交流信号の電流値が略等しく電位が相反することを特徴とする請求項１に記載のランプ駆動システム。
【請求項１２】
前記ランプ群は複数のランプを更に含み、該各ランプは一端が前記複数の濾過／電流平衡回路ユニットの内の別々の一つの第四出力端子と接続され、且つ前記第四交流信号で駆動されることを特徴とする請求項９に記載のランプ駆動システム。
【請求項１３】
前記ランプ群の各ランプの他端は、前記複数の濾過／電流平衡回路ユニットの内の別々の一つの第四出力端子と接続され、且つ同時に前記第三交流信号及び前記第四交流信号で駆動されることを特徴とする請求項９に記載のランプ駆動システム。
【請求項１４】
ランプ群を駆動するランプ駆動方法であって、
直流信号を受信する階段と、
該直流信号を方形の交流信号に変換する階段と、
該方形の交流信号を拡大する階段と、
該拡大した方形の交流信号を電流値が略同じ複数の正弦波に変換する階段と、
該複数の正弦波を前記ランプ群に出力する階段と、
含むことを特徴とする請求項９に記載のランプ駆動方法。
【発明の詳細な説明】
【技術分野】
【０００１】
本発明はランプ駆動システムに係り、特に液晶表示装置のバックライト装置に使用されるランプ駆動システムに関するものである。
【背景技術】
【０００２】
現在の液晶表示装置において、放電ランプ、特に冷陰極ランプがバックライト装置の光源として使用されていることは多い。この冷陰極ランプでは、インバーター回路が駆動電流を提供するために用いられ、フィードバック制御回路はランプ電流の安定性を監視して制御するために用いられる。大寸法の液晶表示装置において、十分の輝度を得るために二つ、または更により多くのランプが必要となる。
【０００３】
図１は従来の第一種のランプ駆動システムの概略図である。該ランプ駆動システムはインバーター回路１０１と、変圧／濾過回路１０３と、電流平衡回路１０５と、ランプ群１０７とフィードバック制御回路１０９と、を含む。その中で、インバーター回路１０１は入力した直流電流を交流電流に変換するために用いられる。変圧／濾過回路１０３は、該インバーター回路１０１と電気的に接続され、前記交流電流の電圧の大きさを制御し、且つ該交流電流のひずみを抑制するために用いられる。一般的に、変圧／濾過回路１０３は、変圧器Ｔ１及びコンデンサーＣ１を含み、該コンデンサーＣ１は、該変圧器Ｔ１の二次巻線の両端に並列接続される。該変圧器Ｔ１のインダクタンス漏れ（Ｌｅａｋａｇｅ Ｉｎｄｕｃｔａｎｃｅ）と前記コンデンサーＣ１とは、該変圧器Ｔ１からの交流電流を濾過するＬＣ濾過器を形成する。電流平衡回路１０５は、変圧／濾過回路１０３と、ランプ群１０７との間に電気的に接続される。ランプ群１０７では、各ランプの抵抗の大きさが等しくないので、各ランプを通す電流が異なる。この原因により、各ランプを通過する電流を平衡にするために電流平衡回路１０５を配置する必要がある。フィードバック制御回路１０９は、ランプ群１０７と、インバーター回路１０１との間に接続され、ランプ群１０７からのフィードバック信号によってインバーター回路１０１を制御するために用いられる。
【０００４】
図２は前記図１に示す回路の構成図である。変圧／濾過回路１０３は、変圧器Ｔ１及び該変圧器Ｔ１の二次巻線の両端に並列接続されるコンデンサーＣ１を含む。電流平衡回路１０５ａは、複数の変圧器Ｔ１１、Ｔ１２、Ｔ１３、・・・Ｔ１ｎからなる。変圧器Ｔ１１、Ｔ１２、Ｔ１３、・・・Ｔ１ｎにおいて、一次巻線は、別々に変圧器Ｔ１の二次巻線の一方の端子と、ランプ群１０７の複数のランプＬＰ１１、ＬＰ１２、ＬＰ１３、・・・ＬＰ１ｎの一方の端子との間に電気的に接続され、二次巻線は順番に直列接続されて回路が形成される。
【０００５】
前記従来のランプ駆動システムは、一つの変圧器によって多くのランプを駆動するので、電流平衡回路を配置することが必要となる。しかも、ランプの数量が多いほど、電流平衡回路の寸法が大きく、コストが高くなる。また、その濾過回路に対して、該変圧器のインダクタンス漏れ（Ｌｅａｋａｇｅ Ｉｎｄｕｃｔａｎｃｅ）と他のコンデンサーとを利用してＬＣ濾過器を形成するので、該インダクタンス漏れを得るために、変圧器の体積、該濾過回路の寸法及びコストが高くなるという課題がある。
【０００６】
図３は従来の第二種のランプ駆動システムの概略図である。該第二種のランプ駆動システムと前記第一種のランプ駆動システムとの異なる点は、変圧／濾過回路１０３ｂが複数の変圧器Ｔ１、Ｔ２、・・・Ｔｎ、及びコンデンサーＣ１、Ｃ２、・・・Ｃｎを含み、各変圧器Ｔ１、Ｔ２、・・・と、それと隣接したコンデンサーＣ１、Ｃ２、・・・Ｃｎとが変圧／濾過回路ユニットを形成し、各変圧／濾過回路ユニットが別々にランプ群１０７の一つのランプに接続されて、該ランプを駆動することである。
【０００７】
図４は従来の第三種のランプ駆動システムの概略図である。該第三種のランプ駆動システムと前記第一種のランプ駆動システムとの異なる点は、変圧／濾過回路１０３ｂが一つの変圧器、及びコンデンサーＣ１、Ｃ２、・・・Ｃｎを含み、該変圧器が同一磁気コアに巻かれた複数組の巻線Ｗ１、Ｗ２、Ｗ３、・・・Ｗｎを有し、該各巻線Ｗ１、Ｗ２、Ｗ３、・・・Ｗｎと、コンデンサーＣ１、Ｃ２、・・・Ｃｎとが変圧／濾過回路ユニットを形成し、各変圧／濾過回路ユニットが別々にランプ群１０７の一つのランプに接続されて、該ランプを駆動することである。各巻線Ｗ１、Ｗ２、Ｗ３、・・・Ｗｎが一定の空間を使用することが必要であるので、一つの変圧器に収容される巻線の数量に制限があるという課題がある。
【０００８】
図３及び図４に示した両種のランプ駆動システムは、電流平衡回路を配置せずに複数のランプを駆動できるが、しかし、各ランプはそれを駆動するための、対応する変圧／濾過回路を配置することが必要となる。ランプの数量が大きくなるにつれて、変圧／濾過回路の寸法及びコストが大きくなる課題がある。
【発明の開示】
【発明が解決しようとする課題】
【０００９】
本発明は、回路構成が簡単で、生産コストが低いランプ駆動システムを提供することを第一目的とする。
【００１０】
本発明は、回路構成が簡単で、生産コストが低いランプ駆動方法を提供することを第二目的とする。
【課題を解決するための手段】
【００１１】
前記第一目的を実現するために、本発明に係るランプ駆動システムは、入力された交流信号を拡大するための変圧器回路と、濾過／電流平衡回路と、ランプ群と、を含み、前記変圧器は第一交流信号を出力するための第一出力端子、及び該第一交流信号の電位と相反する第二交流信号を出力するための第二出力端子を含み、前記濾過／電流平衡回路は、複数の濾過／電流平衡回路ユニットを含み、該複数の濾過／電流平衡回路ユニットは、それぞれ前記第一出力端子と接続され、信号のひずみを小さくするように前記第一交流信号を制御し、且つ電流値が略等しい第三交流信号を出力し、前記ランプ群は、複数のランプを含み、該各ランプは一端が前記複数の濾過／電流平衡回路ユニットの内の別々の一つと接続され、且つ前記第三交流信号で駆動される。
【００１２】
前記複数の濾過／電流平衡回路ユニットのそれぞれは、前記第一出力端子と前記ランプ群の一つのランプとの間に接続されたインダクタンス、及び一端が該インダクタンスと該ランプとの間に接続され、他端が接地されるコンデンサーを含む。
【００１３】
前記第二目的を実現するために、本発明に係るランプ駆動方法は、直流信号を受信する階段と、該直流信号を方形の交流信号に変換する階段と、該方形の交流信号を拡大する階段と、該拡大した方形の交流信号を電流値が略同じ複数の正弦波に変換する階段と、該複数の正弦波を前記ランプ群に出力する階段と、含む。
【発明の効果】
【００１４】
前記各濾過／電流平衡回路の複数のインダクタンスの抵抗値が略一致し、且つ複数のコンデンサーの抵抗値が略一致するので、ランプを通過する交流信号の電流値が略一致する。従って、本発明に係るランプ駆動システムにおいては、ランプの抵抗値の異なることがランプを通過する電流に与える影響がほとんど無視され、他の電流平衡回路を配置する必要はない。
【００１５】
また、前記変圧器回路と前記ランプ群の各ランプとの間に前記各濾過／電流平衡回路ユニットを配置すると、該濾過／電流平衡回路ユニットは、インダクタンスと、コンデンサーとを介してＬＣ濾過器を形成するので、変圧器回路においては、従来のインダクタンス漏れを形成する必要はなく、寸法がより小さい変圧器が採用され、コストを低減することができる。
【００１６】
更に、ランプとインダクタンスとを一対一で接続するので、ランプがショート又は開放する際に、それぞれの場合のランプの両端間の電圧差がより大きくなり、それを保護する保護回路の設計に関して有利に働く。
【発明を実施するための最良の形態】
【００１７】
以下図面に基づいて、本発明の実施形態に係るランプ駆動システムに対して詳細に説明する。
【００１８】
図５を参照すると、第一実施形態のランプ駆動システムは、インバーター回路２０１と、変圧器回路２０３と、濾過／電流平衡回路２０５と、ランプ群２０７と、フィードバック制御回路２０９と、を含む。その中で、インバーター回路２０１は、入力した直流電流を交流電流に変換するために用いられ、ハーフブリッジ回路、フルブリッジ回路、又はプッシュプル回路などが採用される。変圧／濾過回路２０３は、該インバーター回路２０１と電気的に接続され、前記交流電流の電圧の大きさを制御し、且つランプ群２０７へ電源を供給するために用いられる。濾過／電流平衡回路２０５は、変圧器回路２０３と、ランプ群２０７との間に電気的に接続され、変圧器回路２０３からの交流信号のひずみを小さくするように調整し、且つランプ群２０７へ交流電流を供給するために用いられる。フィードバック制御回路２０９は、ランプ群２０７と、インバーター回路２０１との間に接続され、ランプ群２０７からのフィードバック信号によってインバーター回路２０１を制御するために用いられる。
【００１９】
図６は前記図５に示すランプ駆動システムの第一変形の回路構成図である。インバーター回路２０１は、入力した直流電流Ｖｉｎを交流電流に変換するために用いられる。変圧器回路２０３として変圧器Ｔ２１が採用される。変圧器Ｔ２１の一端が第一出力端子、他端が第二入力端子として定義される。該第一入力端子及び該第二入力端子は、第一交流信号及び第二交流信号を出力する。該第一交流信号及び第二交流信号は、電位が正負相反するように配置される。本実施例において、濾過／電流平衡回路２０５ａは、複数のインダクタンスＬ２１、Ｌ２２、Ｌ２３、・・・Ｌ２ｎ及び複数のコンデンサーＣ２１、Ｃ２２、Ｃ２３、・・・Ｃ２ｎを含む。各インダクタンスＬ２１、Ｌ２２、Ｌ２３、・・・Ｌ２ｎと、それと対応したコンデンサーＣ２１、Ｃ２２、Ｃ２３、・・・Ｃ２ｎとにより形成された濾過／電流平衡回路は、それぞれ変圧器Ｔ２１の二次巻線の前記第一入力端子と、ランプ群２０７ａの一つのランプＬＰ２１、ＬＰ２２、ＬＰ２３、・・・ＬＰ２ｎとの間に直列接続され、第一濾過／電流平衡回路ユニットと定義される。例えば、インダクタンスＬ２１とコンデンサーＣ２１とからなる濾過／電流平衡回路は、変圧器Ｔ２１の二次巻線の前記第一入力端子と、ランプＬＰ２１との間に直列接続される。前記濾過／電流平衡回路ユニットは、第一交流信号のひずみを小さくするように調整され、電流の大きさが略一致する第三交流信号を出力するために用いられる。ランプＬＰ２１、ＬＰ２２、ＬＰ２３、・・・ＬＰ２ｎは前記第三交流信号で駆動される。
【００２０】
本実施例において、複数のインダクタンスＬ２１、Ｌ２２、Ｌ２３、・・・Ｌ２ｎの一端は、変圧器Ｔ２１の二次巻線の前記第一出力端子に並列接続される。変圧器Ｔ２１の二次巻線の前記第二出力端子は接地される。ランプ群２０７ａの複数のランプＬＰ２１、ＬＰ２２、ＬＰ２３、・・・ＬＰ２ｎは、一端がそれぞれ複数のインダクタンスＬ２１、Ｌ２２、Ｌ２３、・・・Ｌ２ｎの他端に接続される。複数のコンデンサーＣ２１、Ｃ２２、Ｃ２３、・・・Ｃ２ｎの一端は、それぞれ複数のインダクタンスＬ２１、Ｌ２２、Ｌ２３、・・・Ｌ２ｎと、複数のランプＬＰ２１、ＬＰ２２、ＬＰ２３、・・・ＬＰ２ｎとの間に接続される。複数のコンデンサーＣ２１、Ｃ２２、Ｃ２３、・・・Ｃ２ｎの他端は接地される。ランプＬＰ２１、ＬＰ２２、ＬＰ２３、・・・ＬＰ２ｎの他端は、電気抵抗Ｒ２によって接地される。他の実施例において、電気抵抗Ｒ２を他の抵抗素子に代えてもよい。フィードバック制御回路２０９は、複数のランプＬＰ２１、ＬＰ２２、ＬＰ２３、・・・ＬＰ２ｎの他端と、インバーター回路２０１との間に接続される
【００２１】
回路原理を理解するために、インダクタンスＬ２１、コンデンサーＣ２１及びランプＬＰ２１からなるサブ回路を例として説明する。その他のサブ回路は該サブ回路の原理と同様であり、別々に説明しない。ランプＬＰ２１は、冷陰極ランプ（Ｃｏｌｄ  Ｃａｔｈｏｄｅ  Ｆｌｕｏｒｅｓｃｅｎｔ  Ｌａｍｐ，ＣＣＦＬ）であり、一般的に、周波数３０ＫＨＺ〜１００ＫＨＺの交流電流で駆動する。このために、インバーター回路２０１からの交流電流の周波数がより高いように要求される。より高い周波数で入力する時には、インダクタンスＬ２１の抵抗が大きくなる。この時に、インダクタンスＬ２１が電源として利用されるので、ランプＬＰ２１の抵抗の変化でランプＬＰ２１を通過する電流に与える影響はほとんど無視される。また、複数のインダクタンスＬ２１、Ｌ２２、Ｌ２３、・・・Ｌ２ｎの抵抗値が略一致し、且つ複数のコンデンサーＣ２１、Ｃ２２、Ｃ２３、・・・Ｃ２ｎの抵抗値が略一致するので、ランプＬＰ２１、ＬＰ２２、ＬＰ２３、・・・ＬＰ２ｎを通過する前記第三交流信号の電流が略一致する。従って、ランプＬＰ２１、ＬＰ２２、ＬＰ２３、・・・ＬＰ２ｎの抵抗値の異なることがランプＬＰ２１、ＬＰ２２、ＬＰ２３、・・・ＬＰ２ｎを通過する電流に与える影響がほとんど無視される。その結果、本発明に係るランプ駆動システムは、他の電流平衡回路を配置する必要はない。
【００２２】
本実施例において、インダクタンスＬ２１とコンデンサーＣ２１とによりＬＣ濾過器が形成され、該ＬＣ濾過器は前記第一交流信号のひずみを小さくする。従って、変圧器Ｔ２１は、従来のインダクタンス漏れを形成する必要はなく、寸法がより小さい変圧器が採用され、コストを低減することができる。且つ、一つの変圧器Ｔ２１だけにより、複数のランプＬＰ２１、ＬＰ２２、ＬＰ２３、・・・ＬＰ２ｎを駆動することができる。本実施例では、インバーター回路２０１からの交流電流は、変圧器Ｔ２１により大きくなって出力され、該出力された交流電流は、インダクタンスＬ２１とコンデンサーＣ２１とからなる濾過作用により濾過され、平滑な交流電流が形成されてランプＬＰ２１が駆動される。
【００２３】
また、ランプＬＰ２１と、インダクタンスＬ２１とを接続するので、ランプＬＰ２１がショート又は開放する際に、それぞれの場合のランプＬＰ２１の両端間の電圧差がより大きくなり、それを保護する保護回路の設計に関して有利に働く。
【００２４】
図７は前記図５に示すランプ駆動システムの第二変形の回路構成図である。該回路構成と前記第一変形である回路構成との区別は、濾過／電流平衡回路２０５ｂが複数の第一濾過／電流平衡回路ユニット及び複数の第二濾過／電流平衡回路ユニットを含み、ランプ群２０７ｂが複数の第一ランプＬＰ３１、ＬＰ３２、・・・ＬＰ３ｎ及び複数の第二ランプＬＰ４１、ＬＰ４２、・・・ＬＰ４ｎを含む点である。その中では、各第一インダクタンスＬ３１、Ｌ３２、・・・Ｌ３ｎと、それと対応したコンデンサーＣ３１、Ｃ３２、・・・Ｃ３ｎとが第一濾過／電流平衡回路ユニットを形成する。また、各第二インダクタンスＬ４１、Ｌ４２、・・・Ｌ４ｎと、それと対応したコンデンサーＣ４１、Ｃ４２、・・・Ｃ４ｎとが第二濾過／電流平衡回路ユニットを形成する。該第一濾過／電流平衡回路ユニットと、第二濾過／電流平衡回路ユニットとの構成要素及び接続方式は、図５に示した濾過／電流平衡回路ユニットと同じである。前記第一濾過／電流平衡回路は、変圧器Ｔ３１の二次巻線の第一出力端子と接続され、該第一出力端子からの第一交流電流のひずみを小さくし、且つ電流値が略等しい第三交流電流を出力するために用いられる。前記第二濾過／電流平衡回路は、変圧器Ｔ３１の二次巻線の第二出力端子と接続され、該第二出力端子からの第二交流電流のひずみを小さくし、且つ電流値が略等しい第四交流電流を出力するために用いられる。該第三交流電流と該第三交流電流とは、電位が正負相反するだけという区別点がある。
【００２５】
ランプ群２０７ｂの各第一ランプＬＰ３１、ＬＰ３２、・・・ＬＰ３ｎの一端は、別々に、前記第一濾過／電流平衡回路と電気的に接続され、且つ前記第三交流電流で駆動される。ランプ群２０７ｂの各第二ランプＬＰ４１、ＬＰ４２、・・・ＬＰ４ｎの一端は、別々に、前記第二濾過／電流平衡回路と電気的に接続され、且つ前記第四交流電流で駆動される。
【００２６】
本実施例においては、複数のインダクタンスＬ３１、Ｌ３２、・・・Ｌ３ｎの抵抗値が略一致し、且つ複数のコンデンサーＣ３１、Ｃ３２、・・・Ｃ３ｎの抵抗値が略一致する。
【００２７】
図８を参照すると、第二実施形態のランプ駆動システムは、インバーター回路３０１と、変圧器回路３０３と、濾過／電流平衡回路３０５と、ランプ群３０７と、フィードバック制御回路３０９と、を含む。該第二実施形態と前記第一実施形態との区別は、フィードバック制御回路３０９が変圧器回路３０３とインバーター回路３０１との間に接続され、変圧器回路３０３からのフィードバック信号によってインバーター回路３０１を制御するために用いられることである。
【００２８】
図９は前記図８に示すランプ駆動システムの第一変形の回路構成図である。該回路構成と、図６に示した回路構成との区別は、変圧器回路３０３ａが、変圧器Ｔ５１、変圧器Ｔ６１、フルブリッジ回路３００ａ、及び電気抵抗Ｒ５を含むという点である。変圧器Ｔ５１の一次巻線及び変圧器Ｔ６１の一次巻線は、インバーター回路３０１に並列接続するように接続される。変圧器Ｔ５１の二次巻線の一端は第一出力端子と定義され、他端はフルブリッジ回路３００ａの第一端子と接続される。変圧器Ｔ６１の二次巻線の一端は、フルブリッジ回路３００ａの、前記第一端子と相対する第三端子と接続される。フルブリッジ回路３００ａの第二端子は、電気抵抗Ｒ５を介して接地される。フルブリッジ回路３００ａの第四端子は接地される。変圧器Ｔ５１の二次巻線の他端は第二出力端子と定義される。フィードバック制御回路３０９ａは、変圧器回路３０３ａの第二端子とインバーター回路３０１との間に接続される。フルブリッジ回路３００ａは、変圧器Ｔ５１、Ｔ６１からのフルブリッジ信号を受信し、該フルブリッジ信号をフィードバック制御回路３０９ａに送信するために用いられる。
【００２９】
濾過／電流平衡回路３０５は、同様に、図７に示した複数の第一濾過／電流平衡回路ユニット及び複数の第二濾過／電流平衡回路ユニットを含む。該第一濾過／電流平衡回路ユニット及び第二濾過／電流平衡回路ユニットは、それぞれ第三交流信号及び第四交流信号を出力することができる。濾過／電流平衡回路３０５と図７に示した濾過／電流平衡回路２０５との区別は、ランプ群３０７ａの各ランプＬＰ５１、ＬＰ５２、・・・ＬＰ５ｎの一端が、別々に、前記第一濾過／電流平衡回路と電気的に接続され、他端が、別々に、前記第二濾過／電流平衡回路と電気的に接続されることである。且つ、各ランプＬＰ５１、ＬＰ５２、・・・ＬＰ５ｎは、前記第三交流電流及び前記第四交流電流で同時に駆動される。
【００３０】
本実施例においては、複数のインダクタンスＬ５１、Ｌ５２、・・・Ｌ５ｎの抵抗値が略一致し、且つ複数のコンデンサーＣ５１、Ｃ５２、・・・Ｃ５３ｎの抵抗値が略一致する。
【００３１】
図１０は前記図８に示すランプ駆動システムの第二変形の回路構成図である。そのインバーター回路３０１と、変圧器回路３０３ｂと、フィードバック制御回路３０９ｂとの構成要素及び回路構成方式は、前記図９に示した、対応する部分と同じである。該回路構成と前記第一変形である回路構成との区別は、濾過／電流平衡回路３０５ｂが、前記図６、図７及び図９に示した第一濾過／電流平衡回路ユニット及び第二濾過／電流平衡回路ユニットと異なる、複数の濾過／電流平衡回路ユニットを含むことである。
【００３２】
図１０を参照すると、濾過／電流平衡回路３０５ｂは、複数のインダクタンスＬ７１、Ｌ７２、・・・Ｌ７ｎ、Ｌ８１、Ｌ８２、・・・Ｌ８ｎ、及び複数のコンデンサーＣ７１、Ｃ７２、・・・Ｃ７ｎを含む。複数のインダクタンスＬ７１、Ｌ７２、・・・Ｌ７ｎは変圧器回路３０３ｂの第一出力端と接続され、複数のインダクタンスＬ８１、Ｌ８２、・・・Ｌ８ｎは変圧器回路３０３ｂの第二出力端と接続される。本実施例において、各濾過／電流平衡回路ユニットは、二つのインダクタンス、及び一つのコンデンサーを含む。該二つのインダクタンスの一端は、変圧器回路３０３ｂの第一出力端子及び第二出力端子と接続され、他端は第三出力端子及び第四出力端子と定義される。前記コンデンサーは、該第三出力端と第四出力端との間に接続される。例えば、インダクタンスＬ７１とインダクタンスＬ８１、及びコンデンサーＣ７１は、濾過／電流平衡回路ユニットを形成することができる。濾過／電流平衡回路ユニットは、変圧器回路３０３ｂの第一出力端子及び第二出力端子からの第一交流信号及び第二交流信号のひずみを小さくするように制御し、且つ前記第三出力端子及び第四出力端子から、第三交流信号及び第四交流信号を出力するために用いられる。該第三交流信号と該第三交流信号とは、電位が正負相反するだけという区別点がある。
【００３３】
ランプ群３０７ｂの各ランプＬＰ７１、ＬＰ７２、・・・ＬＰ７ｎの一端は、別々に、前記各濾過／電流平衡回路の第三出力端子と電気的に接続され、他端は、別々に、前記各濾過／電流平衡回路の第四出力端子と電気的に接続される。且つ、各ランプＬＰ７１、ＬＰ７２、・・・ＬＰ７ｎは、前記第三交流信号及び前記第四交流信号で同時に駆動される。
【００３４】
本実施例においては、複数のインダクタンスＬ７１、Ｌ７２、・・・Ｌ７ｎ、Ｌ８１、Ｌ８２、・・・Ｌ８ｎの抵抗値が略一致し、且つ複数のコンデンサーＣ７１、Ｃ７２、・・・Ｃ７ｎの抵抗値が略一致する。
【００３５】
図１１は前記図８に示すランプ駆動システムの第三変形の回路構成図である。そのインバーター回路３０１と、変圧器回路３０３ｃと、濾過／電流平衡回路３０５ｃと、フィードバック制御回路３０９ｃとの構成要素及び回路構成方式は、前記図１０に示した、対応する部分と同じである。該回路構成と前記第二変形である回路構成との区別は、ランプ群３０７ｃの複数の第一ランプＬＰ９１、ＬＰ９２、・・・ＬＰ９ｎ、及び複数の第二ランプＬＰ１０１、ＬＰ１０２、・・・ＬＰ１０ｎを含むことである。前記複数の第一ランプＬＰ９１、ＬＰ９２、・・・ＬＰ９ｎの一端は濾過／電流平衡回路３０５ｃの第三出力端子と接続され、他端は電気抵抗Ｒ１０を介して接地される。該複数の第一ランプＬＰ９１、ＬＰ９２、・・・ＬＰ９ｎは前記第三交流信号で駆動される。前記複数の第二ランプＬＰ１０１、ＬＰ１０２、・・・ＬＰ１０ｎの一端は濾過／電流平衡回路３０５ｃの第四出力端と接続され、他端は電気抵抗Ｒ１０を介して接地される。該複数の第二ランプＬＰ１０１、ＬＰ１０２、・・・ＬＰ１０ｎは前記第四交流信号で駆動される。
【００３６】
本実施例においては、複数のインダクタンスＬ９１、Ｌ９２、・・・Ｌ９ｎ、Ｌ１０１、Ｌ１０２、Ｌ１０３、・・・Ｌ１０ｎの抵抗値が略一致し、且つ複数のコンデンサーＣ７１、Ｃ７２、・・・Ｃ７ｎの抵抗値が略一致する。
【００３７】
図７乃至図１１に示したランプ駆動システムの回路原理は図６に示したランプ駆動システムと同じで、同様な優れた点がある。
【００３８】
図１２は、本発明のランプ駆動方法の第一実施形態のフロー図である。ステップＳ１００１では、インバーター回路２０１は直流信号を受信する。ステップＳ１００３では、インバーター回路２０１は前記直流信号を方形の交流信号に変換する。ステップＳ１００５では、変圧器回路２０３は前記方形の交流信号を拡大する。ステップＳ１００７では、濾過／電流平衡回路２０５の複数の濾過／電流平衡回路を通して拡大した方形の交流信号を、電流値が略同じ複数の正弦波に変換する。ステップＳ１００９では、電流値が略同じ複数の正弦波を、ランプ群２０７の複数のランプに出力する。ステップＳ１０１１では、フィードバック制御回路２０９は、ランプ群２０７からのフィードバック信号によって、前記直流信号を方形の交流信号に変換するように、インバーター回路２０１を制御する。
【００３９】
図１２は、本発明のランプ駆動方法の第二実施形態のフロー図である。該ランプ駆動方法の第二実施形態と前記ランプ駆動方法の第一実施形態との区別点は、ステップＳ２０１１で、フィードバック制御回路３０９は、変圧器回路３０３からのフィードバック信号によって、前記直流信号を方形の交流信号に変換するように、インバーター回路３０１を制御することである。
【図面の簡単な説明】
【００４０】
【図１】従来の第一ランプ駆動システムの概略図である。
【図２】図１に示すランプ駆動システムの回路構成図である。
【図３】従来の第二ランプ駆動システムの概略図である。
【図４】従来の第三ランプ駆動システムの概略図である。
【図５】本発明のランプ駆動システムの第一実施形態の概略図である。
【図６】本発明のランプ駆動システムの第一実施形態の第一変形の回路構成図である。
【図７】本発明のランプ駆動システムの第一実施形態の第二変形の回路構成図である。
【図８】本発明のランプ駆動システムの第二実施形態の概略図である。
【図９】本発明のランプ駆動システムの第二実施形態の第一変形の回路構成図である。
【図１０】本発明のランプ駆動システムの第二実施形態の第二変形の回路構成図である。
【図１１】本発明のランプ駆動システムの第二実施形態の第三変形の回路構成図である。
【図１２】本発明のランプ駆動方法の第一実施形態のフロー図である。
【図１３】本発明のランプ駆動方法の第二実施形態のフロー図である。
【符号の説明】
【００４１】
１０１、２０１、３０１・・・インバーター回路
１０３、１０３ａ、１０３ｂ、１０３ｃ・・・変圧／濾過回路
１０５、１０５ａ・・・電流平衡回路
１０７、１０７ａ、２０７、２０７ａ、２０７ｂ、３０７、３０７ａ、３０７ｂ、３０  ７ｃ・・・ランプ群
１０９、２０９、２０９ａ、２０９ｂ、３０９、３０９ａ、３０９ｂ、３０９ｃ・・・フィードバック制御回路
２０３、２０３ａ、２０３ｂ、３０３、３０３ａ、３０３ｂ、３０３ｃ・・・変圧器回路
Ｔ１、Ｔ２、Ｔｎ、Ｔ１１、Ｔ１２、Ｔ１３、Ｔ１ｎ、Ｔ２１、Ｔ３１、Ｔ５１、Ｔ６１、Ｔ７１、Ｔ８１、Ｔ９１、Ｔ１０１・・・変圧器
２０５、２０５ａ、２０５ｂ、３０５、３０５ａ、３０５ｂ、３０５ｃ・・・濾過／電流平衡回路
Ｗ１、Ｗ２、Ｗ３・・・巻線
Ｃ１、Ｃ２、Ｃｎ、Ｃ１１、Ｃ１２、Ｃ１ｎ、Ｃ２１、Ｃ２２、Ｃ２３、Ｃ２ｎ、Ｃ３１、Ｃ３２、Ｃ３ｎ、Ｃ４１、Ｃ４２、Ｃ４ｎ、Ｃ５１、Ｃ５２、Ｃ５ｎ、Ｃ６１、Ｃ６２、Ｃ６ｎ、Ｃ７１、Ｃ７２、Ｃ７ｎ、Ｃ９１、Ｃ９２、Ｃ９ｎ・・・コンデンサー
Ｌ２１、Ｌ２２、Ｌ２３、Ｌ２ｎ、Ｌ３１、Ｌ３２、Ｌ３ｎ、Ｌ４１、Ｌ４３、Ｌ４ｎ、Ｌ５１、Ｌ５２、Ｌ５ｎ、Ｌ６１、Ｌ６２、Ｌ６ｎ、Ｌ７１、Ｌ７２、Ｌ７ｎ、Ｌ８１、Ｌ８２、Ｌ８ｎ、Ｌ９１、Ｌ９２、Ｌ９ｎ、Ｌ１０１、Ｌ１０２、Ｌ１０ｎ・・・インダクタンス
ＬＰ１１、ＬＰ１２、ＬＰ１３、ＬＰ１ｎ、ＬＰ２１、ＬＰ２２、ＬＰ２３、ＬＰ２ｎ、ＬＰ３１、ＬＰ３２、ＬＰ３ｎ、ＬＰ４１、ＬＰ４２、ＬＰ４ｎ、ＬＰ５１、ＬＰ５２、ＬＰ５ｎ、ＬＰ７１、ＬＰ７２、ＬＰ７ｎ、ＬＰ９１、ＬＰ９２、ＬＰ９ｎ、ＬＰ１０１、ＬＰ１０２、ＬＰ１０ｎ・・・ランプ
Ｒ２、Ｒ３、Ｒ４、Ｒ５、Ｒ７、Ｒ９、Ｒ１０・・・電気抵抗
３００ａ、３００ｂ、３００ｃ・・・フルブリッジ回路
【図１】
2007066889.tif 000003
【図２】
2007066889.tif 000004
【図３】
2007066889.tif 000005
【図４】
2007066889.tif 000006
【図５】
2007066889.tif 000007
【図６】
2007066889.tif 000008
【図７】
2007066889.tif 000009
【図８】
2007066889.tif 000010
【図９】
2007066889.tif 000011
【図１０】
2007066889.tif 000012
【図１１】
2007066889.tif 000013
【図１２】
2007066889.tif 000014
【図１３】
2007066889.tif 000015